【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
遊技球が始動領域に進入したことに起因して大当たりか否かの大当たり判定を行う判定手段、該大当たり判定の結果を示す確定図柄を決める図柄決定手段、該決定された確定図柄のデータが含まれる図柄データを送出する図柄データ送出手段及び前記大当たり判定の結果が大当たりであったことを必須条件として可変入賞装置を制御して遊技者に有利な特別遊技を実行する特別遊技実行手段とが設けられた主制御装置と、
該主制御装置から送信された前記図柄データを受信すると、図柄表示装置を制御して複数の図柄を並列的に変動表示させてから前記図柄決定手段によって決められた確定図柄を確定表示させる画像制御装置と
を備える弾球遊技機において、
前記図柄決定手段は、単一の図柄で構成される大当たり図柄又は外れ図柄を前記確定図柄として決め、
前記画像制御装置は、前記確定図柄として決められた大当たり図柄又は外れ図柄とダミー図柄とで構成される組合せ図柄を確定表示させる
ことを特徴とする弾球遊技機。
【請求項２】
請求項１記載の弾球遊技機において、
前記確定図柄となる大当たり図柄と外れ図柄の種類数は同数であり、
前記図柄決定手段は、前記大当たり図柄の種類数及び前記外れ図柄の種類数と同数の乱数値を繰り返すカウンタの数値に基づいて前記確定図柄を決定する
ことを特徴とする弾球遊技機。
【請求項３】
請求項１又は２記載の弾球遊技機において、
前記大当たり図柄、前記外れ図柄及び前記ダミー図柄はそれぞれ複数種類あり、
各前記ダミー図柄は前記外れ図柄のいずれかと実質同形で、
各前記大当たり図柄は前記外れ図柄のいずれかに大当たりのシンボルを付加した形状である
ことを特徴とする弾球遊技機。
【請求項４】
請求項３記載の弾球遊技機において、
前記大当たり図柄は、前記大当たり判定の結果が大当たりであったことの表示以前には表示されず、該大当たりであったことの表示以後で前記確定表示までに表示される
ことを特徴とする弾球遊技機。
【請求項５】
請求項４記載の弾球遊技機において、
前記大当たりのシンボルは、前記特別遊技の開始を宣告するための文字表示の一部である
ことを特徴とする弾球遊技機。
【請求項６】
請求項５記載の弾球遊技機において、
前記画像制御装置は、前記大当たり図柄の表示に先だって、共に同形の前記外れ図柄と前記ダミー図柄とで構成される仮大当たり図柄を仮停止表示させる
ことを特徴とする弾球遊技機。
【手続補正２】
【補正対象書類名】明細書
【補正対象項目名】０００７
【補正方法】変更
【補正の内容】
【０００７】
【課題を解決するための手段および発明の効果】
請求項１記載の弾球遊技機は、遊技球が始動領域に進入したことに起因して大当たりか否かの大当たり判定を行う判定手段、該大当たり判定の結果を示す確定図柄を決める図柄決定手段、該決定された確定図柄のデータが含まれる図柄データを送出する図柄データ送出手段及び前記大当たり判定の結果が大当たりであったことを必須条件として可変入賞装置を制御して遊技者に有利な特別遊技を実行する特別遊技実行手段とが設けられた主制御装置と、該主制御装置から送信された前記図柄データを受信すると、図柄表示装置を制御して複数の図柄を並列的に変動表示させてから前記図柄決定手段によって決められた確定図柄を確定表示させる画像制御装置とを備える弾球遊技機において、
前記図柄決定手段は、単一の図柄で構成される大当たり図柄又は外れ図柄を前記確定図柄として決め、前記画像制御装置は、前記確定図柄として決められた大当たり図柄又は外れ図柄とダミー図柄とで構成される組合せ図柄を確定表示させることを特徴とする。
請求項２記載の弾球遊技機は、請求項１記載の弾球遊技機において、前記確定図柄となる大当たり図柄と外れ図柄の種類数は同数であり、前記図柄決定手段は、前記大当たり図柄の種類数及び前記外れ図柄の種類数と同数の乱数値を繰り返すカウンタの数値に基づいて前記確定図柄を決定することを特徴とする。
【手続補正３】
【補正対象書類名】明細書
【補正対象項目名】０００９
【補正方法】変更
【補正の内容】
【０００９】
図柄決定手段（主制御装置）は、確定図柄（大当たり図柄又は外れ図柄）として単一の図柄を決めればよく、例えば３つの図柄による「７３９」のような組合せを決める場合に比べて処理上の負担が減る。
また、請求項２記載の弾球遊技機の場合、大当たり図柄と外れ図柄の種類数に対応する乱数値に基づいて確定図柄を決めればよいことになるから、従来の３桁表示であると、例えば０００〜９９９までの乱数値を必要としたが、それに比べればカウンタの構成はきわめて単純になり、またプログラムも単純になる。
請求項１又は２記載の弾球遊技機においては、主制御装置が、確定図柄のデータが含まれる図柄データ（普通、変動開始から確定表示までの変動時間を指定するデータも含まれる）を生成して、図柄データ送出手段にて送出すると、これを受信した画像制御装置は、図柄表示装置を制御して複数の図柄を並列的に変動表示させてから、確定図柄である大当たり図柄又は外れ図柄とダミー図柄とで構成される組合せ図柄を確定表示させる。
【手続補正４】
【補正対象書類名】明細書
【補正対象項目名】００１０
【補正方法】変更
【補正の内容】
【００１０】
例えば請求項３に記載のように、前記大当たり図柄、前記外れ図柄及び前記ダミー図柄はそれぞれ複数種類あり、各前記ダミー図柄は前記外れ図柄のいずれかと実質同形、各前記大当たり図柄は前記外れ図柄のいずれかに大当たりのシンボルを付加した形状とすれば、少なくとも外れ図柄とダミー図柄とは見分けがつかない。なお、実質同形というのは、その意味（同形か見分けがつかない程度に類似）である。
【手続補正５】
【補正対象書類名】明細書
【補正対象項目名】００１４
【補正方法】変更
【補正の内容】
【００１４】
特に、前記確定表示される組合せ図柄は、中央に前記大当たり図柄又は外れ図柄を配置し両側に前記ダミー図柄を１つずつ配置した３図柄構成とするのが、遊技者にとって分かりやすい。なお、３図柄の配置は横（左右がダミー図柄）でも縦（上下がダミー図柄）でも構わない。
【手続補正６】
【補正対象書類名】明細書
【補正対象項目名】００１５
【補正方法】変更
【補正の内容】
【００１５】
この請求項３による効果は、請求項４に記載のように、前記大当たり図柄は、前記大当たり判定の結果が大当たりであったことの表示以前には表示されず、該大当たりであったことの表示以後で前記確定表示までに表示される構成を採用することで一層良好になる。
【手続補正７】
【補正対象書類名】明細書
【補正対象項目名】００１９
【補正方法】変更
【補正の内容】
【００１９】
さらに、請求項５記載のように、前記大当たりのシンボルが、前記特別遊技の開始を宣告するための文字表示の一部、例えば「大当たり」の「当」や「大開放」の「開」等であれば、「大当たりだから大当たりのシンボルが追加表示された」と見せる効果がより良好になる。
【手続補正８】
【補正対象書類名】明細書
【補正対象項目名】００２０
【補正方法】変更
【補正の内容】
【００２０】
この請求項５の弾球遊技機において、請求項６記載のように、前記画像制御装置は、前記大当たり図柄の確定表示に先だって、共に同形の前記外れ図柄と前記ダミー図柄とで構成される仮大当たり図柄を仮停止表示させる構成とすれば、上記効果は一層良好になる。
【手続補正９】
【補正対象書類名】明細書
【補正対象項目名】００２３
【補正方法】変更
【補正の内容】
【００２３】
ところが、請求項５又は請求項６記載の構成を採用すると、確定表示に伴って「大当たり」などの文字が表示されるので、従来の大当り開始インターバルにおける告知の役割が果たされてしまう。つまり、大当り開始インターバルは不要となる。
【手続補正１０】
【補正対象書類名】明細書
【補正対象項目名】００２４
【補正方法】変更
【補正の内容】
【００２４】
また、「大当たり」などの表示によって大当たりを告知する期間が大当り開始インターバルだとすれば、これが図柄の変動時間の中に含まれてしまうとも言える。
すなわち、請求項６の構成であると、仮大当たり図柄が表示された時点で遊技者が大当たりと認識する（大当たりの告知画像になる）ので、そこから確定表示までの期間を利用して、従来の大当り開始インターバルと同様の演出を盛り込むことが可能になる（大当たりの表示動作が大当り開始インターバルを含む）。よって、従来、大当り開始インターバルとして行っていた処理は不要になり、プログラム上の負担が軽減される。
【手続補正１１】
【補正対象書類名】明細書
【補正対象項目名】００２８
【補正方法】変更
【補正の内容】
【００２８】
そのため、再変動のある変動パターンとない変動パターンを搭載しつつ、本来の変動パターン数でメインに負担をかけないものが理想であり、その実現が臨まれていた。
請求項６の構成であると、仮大当たり図柄が表示された時点で遊技者が大当たりと認識する（大当たりの告知画像になる）ので、そこから確定表示までの期間を利用して、再変動を行うことができる。例えば「変動開始〜（予告・リーチ等）〜仮（図柄）大当り〜大当り開始インターバル（大当り告知画像）＆図柄再変動（再抽選）〜図柄確定〜変動停止〜大当り動作１Ｒ」とできる。
【手続補正１２】
【補正対象書類名】明細書
【補正対象項目名】００６２
【補正方法】変更
【補正の内容】
【００６２】
したがって、Ｓ１０５、Ｓ１０６では、当たり図柄、外れ図柄の種類数（１〜９の９種類）に対応する乱数値、例えば０〜８を繰り返すカウンタの数値に基づいて確定図柄を決めればよいことになる。従来の３桁表示であると、例えば０００〜９９９までの乱数値を必要としたが、それに比べればカウンタの構成はきわめて単純になり、またプログラムも単純になる。